(57)【要約】【課題】頭皮に対して十分なマッサージ効果を発揮することができる頭皮マッサージアタッチメントを有するヘアドライヤーを提供することを目的とする。【解決手段】頭皮マッサージアタッチメント１のマッサージ突起部５が、ヘアドライヤー２の吹き出し口部３から吹き出される風の吹き出し方向に沿わずに、この吹き出し方向に対して傾斜状態に設けられており、且つ、通風基体部４上に円形又は同心円を呈するように配設されるとともに該円形又は同心円の円周方向に沿って傾斜した状態で突設されている構成、若しくは、通風基体部４上に渦巻きを呈するように配設されるとともに渦巻きの渦巻き方向に沿って傾斜した状態に突設されている構成のヘアドライヤー。【選択図】図１
2018089198.tif 000002
【特許請求の範囲】
【請求項１】
頭皮マッサージアタッチメントを有するヘアドライヤーであって、前記頭皮マッサージアタッチメントは、ヘアドライヤーの先端部の温風又は冷風が吹き出される吹き出し口部に着脱自在に装着する通風基体部に複数のマッサージ突起部が突設されて成るとともに、前記マッサージ突起部が、前記吹き出し口部から吹き出される温風又は冷風の吹き出し方向に沿わずに、この吹き出し方向に対して傾斜状態に設けられており、且つ、このマッサージ突起部が、前記通風基体部上に円形を呈するように配設されるとともに該円形の円周方向に沿って傾斜した状態で突設されている構成、又は、前記通風基体部上に同心円を呈するように配設されるとともに各同心円の円周方向に沿って傾斜した状態で突設されている構成、若しくは、前記通風基体部上に渦巻きを呈するように配設されるとともに前記渦巻きの渦巻き方向に沿って傾斜した状態に突設されて、このマッサージ突起部の突出方向が時計回り又は反時計回りに回転しているように各前記マッサージ突起部が前記通風基体部上に配設されていることを特徴とするヘアドライヤー。
【請求項２】
前記頭皮マッサージアタッチメントは、各前記マッサージ突起部が、夫々が形成する円形の円周方向若しくは渦巻きの渦巻き方向に沿って突出方向を規則的に変化させながら、前記吹き出し口部から吹き出される温風又は冷風の吹き出し方向に対して傾斜状態に突設されて、各前記マッサージ突起部の突出方向が時計回り又は反時計回りに回転しているように各前記マッサージ突起部が前記通風基体部上に配設されていることを特徴とする請求項１記載のヘアドライヤー。
【請求項３】
前記頭皮マッサージアタッチメントは、前記ヘアドライヤーの前記吹き出し口部に装着した際、各前記マッサージ突起部が、前記吹き出し口部から吹き出される温風又は冷風の吹き出し方向に沿わずに、この吹き出し方向に対して傾斜するとともに、このマッサージ突起部の傾斜した突出方向が、前記円形又は前記同心円のほぼ接線方向に向かうように設けられ、このマッサージ突起部の突出方向が時計回り又は反時計回りに回転しているように各前記マッサージ突起部が前記通風基体部上に配設されていることを特徴とする請求項１，２のいずれか１項に記載のヘアドライヤー。
【請求項４】
前記マッサージ突起部は、前記吹き出し口部から吹き出される温風又は冷風の吹き出し方向に対して３０〜６０°に傾斜した状態で突設されていることを特徴とする請求項１〜３のいずれか１項に記載のヘアドライヤー。
【請求項５】
前記頭皮マッサージアタッチメントは、振動発生手段により振動自在に装着される構成とされていることを特徴とする請求項１〜４のいずれか１項に記載のヘアドライヤー。
【発明の詳細な説明】
【技術分野】
【０００１】
本発明は、頭皮をマッサージするための頭皮マッサージアタッチメントを有するヘアドライヤーに関するものである。
【背景技術】
【０００２】
従来、頭皮をマッサージするための頭皮マッサージアタッチメントを有するヘアドライヤーとして、例えば特開２００７−８９６４２号（特許文献１）や特開２０１４−２３３５０８号（特許文献２）に開示されるようなドライヤー（以下、従来例という）が提案されている。
【０００３】
これら従来例に備えられている頭皮マッサージアタッチメントは、頭皮に押し当てるマッサージ突起部がドライヤーの吹き出し口の吹き出し面に対して直交方向、即ち、吹き出し口部から吹き出される温風又は冷風の吹き出し方向と同じ方向に突出した、所謂、剣山のような形状を呈しており、この頭皮マッサージアタッチメントをヘアドライヤーの吹き出し口部に装着しマッサージ突起部を頭皮に押し当てることで、マッサージ突起部の先端が頭皮に対してほぼ垂直状態で当接して頭皮を押圧刺激してマッサージ効果が得られる構成とされている。
【先行技術文献】
【特許文献】
【０００４】
【特許文献１】特開２００７−８９６４２号公報
【特許文献２】特開２０１４−２３３５０８号公報
【発明の概要】
【発明が解決しようとする課題】
【０００５】
しかしながら、この従来の頭皮マッサージアタッチメントは、頭皮に押し当てた際にマッサージ突起部の先端がピンポイントで頭皮を押圧することとなり、これにより押圧力の集中が生じて痛みを感じることがある。
【０００６】
そのため、使用者の多くは、痛みを感じない程度の弱めの力で突起部を頭皮に押し当てることが多く、これにより折角の頭皮へのマッサージ効果を低下させてしまっている。
【０００７】
本発明は、このような現状に鑑みなされたもので、頭皮マッサージアタッチメントの突起部を頭皮に押し当てた際のこの突起部の頭皮に対する押圧力の集中が生じることを防いで痛みを生じにくくし、突起部を頭皮に対して強めの力で押し当てることができ、頭皮に対して十分なマッサージ効果を発揮することができる頭皮マッサージアタッチメントを有するヘアドライヤーを提供することを目的とする。
【課題を解決するための手段】
【０００８】
添付図面を参照して本発明の要旨を説明する。
【０００９】
頭皮マッサージアタッチメント１を有するヘアドライヤーであって、前記頭皮マッサージアタッチメント１は、ヘアドライヤー２の先端部の温風又は冷風が吹き出される吹き出し口部３に着脱自在に装着する通風基体部４に複数のマッサージ突起部５が突設されて成るとともに、前記マッサージ突起部５が、前記吹き出し口部３から吹き出される温風又は冷風の吹き出し方向に沿わずに、この吹き出し方向に対して傾斜状態に設けられており、且つ、このマッサージ突起部５が、前記通風基体部４上に円形を呈するように配設されるとともに該円形の円周方向に沿って傾斜した状態で突設されている構成、又は、前記通風基体部４上に同心円を呈するように配設されるとともに各同心円の円周方向に沿って傾斜した状態で突設されている構成、若しくは、前記通風基体部４上に渦巻きを呈するように配設されるとともに前記渦巻きの渦巻き方向に沿って傾斜した状態に突設されて、このマッサージ突起部５の突出方向が時計回り又は反時計回りに回転しているように各前記マッサージ突起部５が前記通風基体部４上に配設されていることを特徴とするヘアドライヤーに係るものである。
【００１０】
また、前記頭皮マッサージアタッチメント１は、各前記マッサージ突起部５が、夫々が形成する円形の円周方向若しくは渦巻きの渦巻き方向に沿って突出方向を規則的に変化させながら、前記吹き出し口部３から吹き出される温風又は冷風の吹き出し方向に対して傾斜状態に突設されて、各前記マッサージ突起部５の突出方向が時計回り又は反時計回りに回転しているように各前記マッサージ突起部５が前記通風基体部４上に配設されていることを特徴とする請求項１記載のヘアドライヤーに係るものである。
【００１１】
また、前記頭皮マッサージアタッチメント１は、前記ヘアドライヤー２の前記吹き出し口部３に装着した際、各前記マッサージ突起部５が、前記吹き出し口部３から吹き出される温風又は冷風の吹き出し方向に沿わずに、この吹き出し方向に対して傾斜するとともに、このマッサージ突起部５の傾斜した突出方向が、前記円形又は前記同心円のほぼ接線方向に向かうように設けられ、このマッサージ突起部５の突出方向が時計回り又は反時計回りに回転しているように各前記マッサージ突起部５が前記通風基体部４上に配設されていることを特徴とする請求項１，２のいずれか１項に記載のヘアドライヤーに係るものである。
【００１２】
また、前記マッサージ突起部５は、前記吹き出し口部３から吹き出される温風又は冷風の吹き出し方向に対して３０〜６０°に傾斜した状態で突設されていることを特徴とする請求項１〜３のいずれか１項に記載のヘアドライヤーに係るものである。
【００１３】
また、前記頭皮マッサージアタッチメント１は、振動発生手段により振動自在に装着される構成とされていることを特徴とする請求項１〜４のいずれか１項に記載のヘアドライヤーに係るものである。
【発明の効果】
【００１４】
本発明は上述のように構成したから、頭皮マッサージアタッチメントのマッサージ突起部を頭皮に押し当てても痛みが生じにくいので、従来よりも強い力で頭皮マッサージアタッチメント（頭皮マッサージアタッチメントのマッサージ突起部）を押し当てることができ、より強い押圧刺激を頭皮に与えることができるので、痛みを伴わずに高いマッサージ効果を得ることができる。
【００１５】
しかも、マッサージ突起部が毛包部を毛包形成方向と逆の方向から押圧してこの毛包部に効果的な刺激を付与するので、毛包の過酸化脂質が分解され、頭皮のかゆみや炎症（毛包炎）の発生が可及的に抑制される。
【図面の簡単な説明】
【００１６】
【図１】本実施例を示す斜視図である。
【図２】本実施例を示す分解斜視図である。
【図３】本実施例の頭皮マッサージアタッチメントを示す正面図である。
【図４】本実施例の頭皮マッサージアタッチメントを示す斜視図である。
【図５】本実施例の頭皮マッサージアタッチメントを示す側面図である。
【図６】本実施例を示す説明側断面図である。
【図７】本実施例と従来例との比較説明図である。
【図８】本実施例の作用効果説明図である。
【図９】本実施例の使用状態図である。
【発明を実施するための形態】
【００１７】
好適と考える本発明の実施形態を、図面に基づいて本発明の作用を示して簡単に説明する。
【００１８】
頭皮マッサージアタッチメント１をヘアドライヤー２に装着して頭皮マッサージを行う場合は、この頭皮マッサージアタッチメント１の通風基体部４をヘアドライヤー２の吹き出し口部３に装着する。
【００１９】
この通風基体部４を吹き出し口部３に装着すると、通風基体部４に突設したマッサージ突起部５は、突出方向が吹き出し口部３から吹き出される温風又は冷風の吹き出し方向に沿わず、この温風又は冷風の吹き出し方向に対して傾斜方向に突出した傾斜状態となり、このマッサージ突起部５を頭皮に押し当てた際、このマッサージ突起部５の先端部のみがピンポイントで当接せず、先端周面部も頭皮に接触することとなり、このマッサージ突起部５の頭皮に対する接触面積（押し当て面積）が増加する。
【００２０】
これにより、マッサージ突起部５の接触部（押し付け部）に対する押圧力が従来の剣山タイプの場合に比して分散され痛みが生じにくくなる。
【００２１】
したがって、従来よりも強い力で頭皮マッサージアタッチメント１（頭皮マッサージアタッチメント１のマッサージ突起部５）を押し当てることができ、頭皮に対してより強い押圧刺激を与えることができ、より高いマッサージ効果を得ることができる。
【００２２】
また、本発明は、このマッサージ突起部５が単に傾斜しているだけでなく、各マッサージ突起部５の突出方向が時計回り又は反時計回りに回転しているように各マッサージ突起部５が通風基体部４上に傾斜突出状態に配設されているから、毛包部を毛包形成方向と逆方向に押圧することができ、この逆方向の押圧により毛包が伸縮動作し刺激を受け、毛包の過酸化脂質が分解されることとなり、マッサージ効果とともに頭皮のかゆみや炎症（毛包炎）の発生を可及的に抑制する効果が得られる。
【実施例】
【００２３】
本発明の具体的な実施例について図面に基づいて説明する。
【００２４】
本実施例は、頭皮マッサージアタッチメント１を有するヘアドライヤーであり、図１，図２に示すように、この頭皮マッサージアタッチメント１をヘアドライヤー２の先端部の温風又は冷風が吹き出される吹き出し口部３に装着し、この吹き出し口部３に装着した頭皮マッサージアタッチメント１の先端部を頭部に押し当てて、頭皮を押圧刺激することでマッサージ効果が得られる構成とされている。
【００２５】
以下、本実施例に係る構成各部について詳述する。
【００２６】
本実施例の頭皮マッサージアタッチメント１は、ヘアドライヤー２の先端部の温風又は冷風が吹き出される吹き出し口部３に着脱自在に装着する通風基体部４に複数のマッサージ突起部５が突設されて成る構成とされている。
【００２７】
具体的には、図３〜図５に示すように、本実施例の通風基体部４は、正面視円形に形成された合成樹脂製若しくは合成ゴム製の円盤体に構成されるとともに、正面基盤面にヘアドライヤー２の吹き出し口部３から吹き出された温風又は冷風を通風する通風孔６が設けられ、また、この正面基盤面の背面側にヘアドライヤー２の吹き出し口部３に被嵌若しくは挿嵌する吹き出し口嵌合部７が設けられている構成とされている。
【００２８】
より具体的には、本実施例の通風基体部４は、正面基盤面にマッサージ突起部５を突設する突起突設部８と通風孔６とが設けられている構成とされ、突起突設部８は、正面基盤面上の周縁に沿って設けられた外側円形状突起突設部８Ａと、この外側円形状突起突設部８Ａの内側に同心円状に設けられた内側円形状突起突設部８Ｂとからなる構成とされ、また、通風孔６は、この外側円形状突起突設部８Ａと内側円形状突起突設部８Ｂとの間及びこの正面基盤面中央部に設けられた構成としている。
【００２９】
また、この通風基体部４に突設される本実施例のマッサージ突起部５は、通風基体部４と同様、合成樹脂若しくは合成ゴムからなる構成とされ、具体的には、本実施例のマッサージ突起部５は、硬度が高めのシリコンゴムからなり、先端部はやや丸みを帯びた形状に形成されている。
【００３０】
また、本実施例のマッサージ突起部５は、通風基体部４をヘアドライヤー２の吹き出し口部３に装着した状態において、この吹き出し口部３から吹き出される温風又は冷風の吹き出し方向に沿わずに、この吹き出し方向に対して傾斜状態に設けられ、且つ、通風基体部４の正面基盤面上に円形を呈するように配設されるとともに該円形の円周方向に沿って傾斜した状態で突設されている構成、又は、通風基体部４の正面基盤面上に同心円を呈するように配設されるとともに各同心円の円周方向に沿って傾斜した状態で突設されている構成、若しくは、通風基体部４の正面基盤面上に渦巻きを呈するように配設されるとともにこの渦巻き方向に沿って傾斜した状態に突設されている構成とされている。
【００３１】
具体的には、本実施例の各マッサージ突起部５は、夫々が形成する円形の円周方向若しくは渦巻きの渦巻き方向に沿って突出方向を規則的に変化させながら、吹き出し口部３から吹き出される温風又は冷風の吹き出し方向に対して傾斜状態に突設されている構成とされている。
【００３２】
より具体的には、本実施例の各マッサージ突起部５は、通風基体部４をヘアドライヤー２の吹き出し口部３に装着した際、吹き出し口部３から吹き出される温風又は冷風の吹き出し方向に沿わずに、この吹き出し方向に対して傾斜するように設けられるとともに、このマッサージ突起部５の傾斜した突出方向が、夫々が形成する円形又は同心円のほぼ接線方向に向かうように設けられて、このマッサージ突起部５の突出方向が時計回り又は反時計回りに回転しているように各マッサージ突起部５が通風基体部４の正面基盤面上に配設されている構成とされている。
【００３３】
更に本実施例の頭皮マッサージアタッチメント１について具体的に説明すると、本実施例の頭皮マッサージアタッチメント１は、図３に示すように、マッサージ突起部５が、通風基体部４上に同心円を呈するように配設されるとともに、各マッサージ突起部５が各同心円の円周方向に沿って傾斜した状態で突設されている構成とされている。
【００３４】
即ち、本実施例の頭皮マッサージアタッチメント１は、ヘアドライヤー２の吹き出し口部３に装着した際、各マッサージ突起部５が、吹き出し口部３から吹き出される温風又は冷風の吹き出し方向に沿わずに、この吹き出し方向に対して傾斜するとともに、このマッサージ突起部５の傾斜した突出方向が、同心円のほぼ接線方向に向かうように設けられ、このマッサージ突起部５の突出方向が時計回り又は反時計回りに回転しているように各マッサージ突起部５が通風基体部４上に配設されている構成とされている。
【００３５】
更に詳細には、本実施例の頭皮マッサージアタッチメント１は、各マッサージ突起部５が、ヘアドライヤー２の吹き出し口部３から吹き出される温風又は冷風の吹き出し方向に対して３０〜６０°に傾斜した状態で突設されており、具体的には、本実施例では、その傾斜角度が４５°に設定されている。
【００３６】
また更に、本実施例の頭皮マッサージアタッチメント１は、通風基体部４の外側円形状突起突設部８Ａに突設されているマッサージ突起部５が、正面視時計回り方向に向けて突設され、また、内側円形状突起突設部８Ｂに突設されているマッサージ突起部５が、正面視反時計回り方向に向けて突設されており、外側円形状突起突設部８Ａに突設された通風基体部４の外側に位置するマッサージ突起部５の突出方向が時計回りに回転し、円形状突起突設部８Ｂに突設された通風基体部４の内側に位置するマッサージ突起部５の突出方向が反時計回りに回転しているように各マッサージ突起部５が通風基体部４の正面基盤面上に配設されている構成とされている。
【００３７】
また、この頭皮マッサージアタッチメント１を着脱自在に装着する本実施例のヘアドライヤー２は、先端部に吹き出し口部３が設けられたドライヤー本体部９と、このドライヤー本体部９に対してほぼ直交状態に下方側に向けて突設された把持部10とからなる構成とされている。
【００３８】
具体的には、図６に示すように、ドライヤー本体部９には、送風部11と、この送風部11から送風される風（空気）を加熱するヒーター部12とが設けられており、更に、吹き出し口部３の手前にフィルター部材13が設けられている。
【００３９】
本実施例は、このフィルター部材13が交換自在に設けられた構成とされていて、単に空気中の塵などをトラップするための集塵フィルターを設けても良いし、例えば、マイナスイオンや遠赤外線を発生させる素材を含有した特殊効果フィルターを設けても良い構成とされている。
【００４０】
また、このドライヤー本体部９内にはこのドライヤー本体部９自体を振動させる振動発生手段（図示なし）が設けられており、この振動発生手段の作動によりこのドライヤー本体部９が振動することで、このドライヤー本体部９の先端部に設けた頭皮マッサージアタッチメント１を振動させる構成とされている。尚、振動発生手段は、頭皮マッサージアタッチメント１に設ける構成としても良い。
【００４１】
以上のように構成される本実施例の作用効果について以下に説明する。
【００４２】
本実施例のマッサージ突起部５は、頭皮マッサージアタッチメント１を吹き出し口部３に装着した状態において、吹き出し口部３から吹き出される温風又は冷風の吹き出し方向に沿わず、この温風又は冷風の吹き出し方向に対して４５°傾斜した状態で突出するので、従来は、図７（ａ）に示すように、マッサージ突起部が頭皮に対して垂直に押し当てられて先端部がピンポイントで頭皮に接触していたが、本実施例は、図７（ｂ）に示すように、マッサージ突起部５が頭皮に対して斜め４５°の方向から押し当てられて先端部及びこの先端部周面も頭皮に接触することとなり、このマッサージ突起部５の頭皮に対する接触面積（押し当て面積）が増加する。
【００４３】
これにより、マッサージ突起部５の接触部（押し付け部）に対する押圧力が従来の剣山タイプの場合に比して分散され痛みが生じにくくなる。
【００４４】
したがって、従来よりも強い力で頭皮マッサージアタッチメント１（頭皮マッサージアタッチメント１のマッサージ突起部５）を押し当てることができ、頭皮に対してより強い押圧刺激を与えることができ、より高いマッサージ効果を得ることができる。
【００４５】
また、本実施例の頭皮マッサージアタッチメント１は、通風基体部４の外側円形状突起突設部８Ａに突設されているマッサージ突起部５が、正面視時計回り方向に向けて突設され、また、内側円形状突起突設部８Ｂに突設されているマッサージ突起部５が、正面視反時計回り方向に向けて突設されており、外側円形状突起突設部８Ａに突設された通風基体部４の外側に位置するマッサージ突起部５の突出方向が時計回りに回転し、円形状突起突設部８Ｂに突設された通風基体部４の内側に位置するマッサージ突起部５の突出方向が反時計回りに回転しているように各マッサージ突起部５が通風基体部４の正面基盤面上に配設されている構成とされているので、外側円形状突起突設部８Ａ又は内側円形状突起突設部８Ｂのいずれかに突設されているマッサージ突起部５が、図８に示すように、毛包部の形成方向に対して逆方向から頭皮を押圧することとなる。
【００４６】
即ち、毛包部はつむじの渦巻き方向に向かって形成されているので、つむじが右回り（時計回り）の人が使用した場合は、外側円形状突起突設部８Ａに突設されているマッサージ突起部５が毛包部の形成方向に対して逆方向から頭皮を押圧し、また、つむじが左回り（反時計回り）の人が使用した場合は、内側円形状突起突設部８Ｂに突設されているマッサージ突起部５が毛包部の形成方向に対して逆方向から頭皮を押圧することとなり、このマッサージ突起部５の押圧作用により毛包部が押し動かされて伸縮を繰り返し、これにより、毛包部周辺および毛包領域に連続的又は周期的な刺激を付与することができ、毛包の過酸化脂質が分解され、頭皮に対するマッサージ効果とともに頭皮のかゆみや炎症（毛包炎）の発生を可及的に抑制する効果が得られることとなる。
【００４７】
このように、本実施例は、優れたマッサージ効果を発揮し得る画期的な頭皮マッサージアタッチメント１を有する実用性に優れたヘアドライヤーとなる。
【００４８】
尚、本発明は、本実施例に限られるものではなく、各構成要件の具体的構成は適宜設計し得るものである。
【符号の説明】
【００４９】
１  頭皮マッサージアタッチメント
２  ヘアドライヤー
３  吹き出し口部
４  通風基体部
５  マッサージ突起部
【図１】
2018089198.tif 000003
【図２】
2018089198.tif 000004
【図３】
2018089198.tif 000005
【図４】
2018089198.tif 000006
【図５】
2018089198.tif 000007
【図６】
2018089198.tif 000008
【図７】
2018089198.tif 000009
【図８】
2018089198.tif 000010
【図９】
2018089198.tif 000011